(57)【要約】【課題】  手首に対する負担を軽減しながら、釣り人の竿操作に係る負担を軽減し、長時間に亘る釣にも、十分対応できる釣り竿を提供する。【解決手段】  元竿１にリールシート２を装着するとともに、元竿１のリールシート２より竿尻側に、リールシート２を握って元竿１を支えている釣り人の肘ｈを受け止める肘当て具３を、その元竿１の外周面より離間させて支持し上下左右に変位する弾性支持具４を介して装着してある。弾性支持具４を肘当て具３の竿先側端に取り付けてその弾性支持具４の他端を元竿１の外周面に載置してある。【選択図】        図１
2011087504.tif 000002
【特許請求の範囲】
【請求項１】
元竿にリールシートを装着するとともに、前記元竿の前記リールシートより竿尻側に、肘を受け止める肘当て具を設け、前記肘当て具を前記元竿の外周面より離間させて支持する弾性支持具を介して装着してある釣り竿。
【請求項２】
前記弾性支持具が板ばね状部材を湾曲形成したものである請求項１記載の釣り竿。
【請求項３】
前記弾性支持具が前記肘当て具の竿先端に連結されて、前記肘当て具を片持ち支持してある請求項１又は２記載の釣り竿。
【発明の詳細な説明】
【技術分野】
【０００１】
本発明は、リールシート等を握った手を支える肘等を載置する肘当て具を備えている釣り竿に関する。
【背景技術】
【０００２】
リールシート装着部より竿尻側に竿体の外周面から左右一対の棒状体を立設して肘当て具を形成し、釣り操作を行う際に、リールシート付近を手指で把持しながら肘当て具に腕・肘部分を載置する構成のものがあった（特許文献１参照）。
【先行技術文献】
【特許文献】
【０００３】
【特許文献１】特開２００１−１９７８５０号公報（段落番号〔０００３〕、〔００１４〕、〔００１５〕及び、図２〜図４、図７）
【発明の概要】
【発明が解決しようとする課題】
【０００４】
特許文献１の図７に示すように肘当て具を備えていない場合には、リールシート面と肘を当てる元竿の外周面との高さが殆ど変わらない為に、リールシートを握っている手の手首部分が、折れ曲り姿勢を強いられ窮屈な姿勢になっている。
このような点を考慮して、特許文献１においては、図１〜図３に示すように、肘当て具として、二本の腕置き杆を元竿の外周面より立設して、手首に掛かる負担を軽減する構成を採っていた。
【０００５】
しかし、上記した肘当て具は、元竿の外周面に固定されているだけであるので、次のような問題がある。
つまり、肘当て具に肘を当て、リールシートとリールとを共握りして魚の当たりを待つ間には、釣り竿は風や仕掛けの移動、或いは波等の影響を受けて、上下左右に穂先側を揺動させる。また、魚がかかって魚を水面に浮かせる場合、魚の走る方向へ左右に釣り竿を動かす必要がある。そうすると、リールシート位置を中心にして釣り竿は天秤の如く揺動する為に、肘当て具を装着している元竿部分も上下左右に揺動することがある一方で、肘位置は一定姿勢を維持しているところから、肘当て具と肘とが接触離間を繰り返すことになる。
その場合に、肘を敢えて肘当て具に当てた状態を維持しようとすると、肘の位置を細かく調整する必要があり、釣り人の釣り操作に過剰な負担を掛けることとなる。また、それによって、却って魚信を捉え難くなる虞もある。また、手首等がかえって疲れてしまう。
【０００６】
本発明の目的は、手首に対する負担を軽減しながら、釣り人の竿操作に係る負担を軽減し、長時間に亘る釣操作を行う場合にも、十分対応できる釣り竿を提供する点にある。
【課題を解決するための手段】
【０００７】
〔構成〕
請求項１に係る発明の特徴構成は、元竿にリールシートを装着するとともに、前記元竿の前記リールシートより竿尻側に、肘を受け止める肘当て具を設け、前記肘当て具を前記元竿の外周面より離間させて支持し上下左右に変位する弾性支持具を介して装着してある点にあり、その作用効果は次の通りである。
【０００８】
〔作用〕
つまり、肘当て具を直接元竿に取付固定するのではなく、弾性支持具を介して取付けることによって、肘当て具を取付けている元竿の部分が前記したようにリールシート部位を中心に穂先竿とは反対方向に天秤揺動しても、弾性支持具が弾性変形して肘当て具にその変位を伝達しないように吸収することとなる。
したがって、釣り人の肘と肘当て具との位置関係は変動しないので、釣り人は肘を常に肘当て具に預けた状態で魚の当たりを待つことができる。
さらには、魚が針掛かりした後においても、魚の暴れを抑さえるために釣り竿をためる操作を行う場合や手首を上向きにして釣り竿を縦姿勢にして魚を抜き上げる場合にも、釣り竿と肘当て具との間隔が微妙に変化しても肘を肘当て具に当てつけた状態で操作を行うことができ、安定した釣り操作を行うことができる。
【０００９】
〔効果〕
このように、元竿の外周面と肘当て具との間に弾性支持具を導入するだけの簡単な改造を施すだけで、釣り竿の姿勢が変動する場合にも肘の安定化を図ることができ、長時間に亘る釣操作を快適に行えるようになった。
【００１０】
請求項２に係る発明の特徴構成は、請求項１に係る発明において、前記弾性支持具が板ばね状部材を湾曲形成したものである点にあり、その作用効果は次の通りである。
【００１１】
〔作用効果〕
弾性支持体として板ばね状部材を湾曲形成して使用しているので、弾性的に変形が可能な割には比較的強度の高いものとすることができるので、板ばね状部材の幅方向から作用する外乱に対しては、その板ばね状部材は変形することが少なく、肘当て具を安定して支持できる。
【００１２】
請求項３に係る発明の特徴構成は、請求項１または２に係る発明において、前記弾性支持具が前記肘当て具の竿先端に連結されて、前記肘当て具を片持ち支持してある点にあり、その作用効果は次の通りである。
【００１３】
〔作用効果〕
弾性支持具を肘当て具の竿先端の一方にのみ配置することによって、片持ち状で支持する形態を採ることができ、弾性支持具の支持形態をより弾性変形性を向上させることができる。
しかも、穂先側に弾性支持具が配置されているので、手首が位置する側に弾性支持具を配置することができ、竿尻側において肘当て具を支持する場合に比べてより荷重の大きく掛る側に弾性支持具を配置できるので、片持ち支持であっても安定的な支持状態を確保できる。
【図面の簡単な説明】
【００１４】
【図１】肘当て具を装着した元竿を示す側面図である。
【図２】元竿に装着した肘当て具を示す斜視図である。
【図３】肘当て具を前後一対の弾性支持具によって支持し、その弾性支持具として板ばね状部材を利用している状態を示す別実施構造の側面図である。
【図４】肘当て具を前後一対の弾性支持具によって支持し、その弾性支持具としてコイルバネを利用している状態を示す別実施構造の側面図である。
【図５】肘当て具を取付用ベルトで元竿に取り付けられるようにする別実施構造を示す斜視図である。
【発明を実施するための形態】
【００１５】
突堤、防波堤等でチヌ（黒鯛）釣等に使用される釣り竿Ａについて説明する。図１に示すように、元竿１の外周面に板状のリールシート２を装着し、固定フード２Ａと可動フード２Ｂとで片軸リールＲの脚部Ｒａを取り付け固定するとともに、元竿１におけるリールシート２より竿尻側に設けた握り部に後記する肘当て具３を装着し、竿尻端に尻栓５を設けて、釣り竿Ａを構成してある。
【００１６】
肘当て具３について説明する。図１及び図２に示すように、肘当て具３は、元竿１とリールシート２部分を握る釣り人の手首ｔから後方に延びている肘ｈを支持する機能を担っている。つまり、図１に示すように、肘当て具３は、元竿１におけるリールシート２の設置部位より竿尻端側に装着してある。
【００１７】
図１及び図２に示すように、肘当て具３は、元竿１の外周面側に向けて凹入する湾曲形状に形成してあり、竿軸線Ｘに沿った一定長さＬと竿軸線Ｘに直交する方向に沿った一定幅Ｗを有している。そして、左右中心部に凹入状の肘当て面３Ａが形成されており、一定幅Ｗにおいて幅Ｗの中間位置ほど竿軸芯に近接する円弧面形状を呈している。円弧面形状は竿軸線Ｘ方向において同一である。肘当て具３の左右両側方には縦壁面３Ｂが形成されており、この縦壁面３Ｂが肘当て面３Ａに載置された肘ｈに当接して、肘当て具３と肘ｈとの位置決めをする機能を担っている。
以上のような構成によって、肘当て面３Ａに肘ｈを載置した場合に、手首ｔが大きく折れ曲ることはなく、かつ、その肘当て面３Ａが幅方向の中心側ほど凹入する形状にあるので、肘ｈを安定して載置できる。
【００１８】
図１〜図３に示すように、肘当て具３の竿先側端には弾性支持具４が装着してあり、この弾性支持具４が肘当て具３の竿先側端と元竿１の外周面との間に位置して、肘当て具３を支持する構成を採っている。
弾性支持具４は、一定の横幅ｗを有する板ばね状部材を湾曲状に曲げ形成したものであり、上端を弾性支持具４の竿先側端から内部に差し込み装着されており、下端を元竿１の外周面に接着剤やネジ等によって取り付けてある。
【００１９】
このように肘当て具３は板ばね材を湾曲状に曲げ形成したものであるので、材質自体の弾性力と湾曲形状から発揮される弾性力とが相俟って、肘当て具３を弾性的に変位自在に構成するものである。
一方、肘当て具３の材料としては、軟質材製の合成樹脂やＥＶＡやＮＢＲ等のゴム系弾性体が使用される。そして、湾曲形状の凹入部３Ａを形成する為に、肘当て具３は型成形される。
【００２０】
このような構成によって、肘当て具３は次のような動作を行う。肘ｈを預けられた肘当て具３は、無負荷状態で弾性支持具４によって支持された状態から元竿１の外周面に近接した状態にある。そして、魚の当たりを待つ間、釣り竿Ａが波や風等を受けて姿勢を変化させる場合に、釣り人によって握り支持されているリールシート２の装着位置を中心にして釣り竿Ａが天秤のように揺動することがある。そういう場合であっても、肘当て具３は、元竿１の外周面との間隔を変化させながら上下左右に変位して、釣り竿Ａが揺動するのを許容する。
したがって、肘当て具３と肘ｈとが離間することがないので、手首ｔと肘ｈの位置が決まり、魚を待つ間の手首ｔや肘ｈに係る負担が少ない。
【００２１】
〔別実施形態〕
（１）  図１及び図２の構成では、弾性支持具４は肘当て具３の竿先側端のみに装着してあり、単独で肘当て具３を支持しているが、図３に示すように、弾性支持具４としては、肘当て具３の竿先側端と竿尻側端とに、夫々、装着して、両方から支持する構成を採ってもよい。この場合に、弾性支持具４同士は、互いに対象配置となるように、竿先側に位置する竿先側の弾性支持具４においては、湾曲部を更に竿先側に張り出させ、竿尻端側に位置する竿尻端側の弾性支持具４においては、湾曲部を更に竿尻端側に張り出させて配置構成する。
このように配置することによって、竿軸線方向に沿って作用する軸線方向荷重に対して両弾性支持具４が均等に機能して肘当て具３を安定して支持することができる。
【００２２】
（２）  弾性支持具４としては、図４に示すように、単なるコイルバネを利用してもよい。したがって、肘当て具３を支持するのに、竿先側端と竿尻側端とに同一種類のものを配置する必要はなく、一方が板ばね製の弾性支持具４で他方がコイルバネ製の弾性支持具４であってもよい。この場合には、弾性支持具４が上下だけでなく、左右にも揺動して肘ｈを安定支持する。
【００２３】
（３）  上記実施形態においては、弾性支持具４の下端を直接接着剤やネジ等を使用して元竿１の外周面に取付る構成を採ったが、図５に示すように、弾性支持具４に取付用の締付具としてのベルト５を装着して、このベルト５を元竿１の外周面の所定位置に巻回して、肘当て具３を、ベルト５に取り付けたバックル５Ａによって着脱自在に構成してもよい。このように締結具を使用すれば、既存の元竿等にこの肘当て具３を装着することが可能である。
【産業上の利用可能性】
【００２４】
本発明は、磯竿、船竿、釣り糸ガイド付き竿、中通し竿等に適用可能である。
【符号の説明】
【００２５】
１                元竿
２                リールシート
３                肘当て具
４                板ばね状部材（弾性支持具）
Ａ                釣り竿
ｈ                肘
ｔ                手首
【図１】
2011087504.tif 000003
【図２】
2011087504.tif 000004
【図３】
2011087504.tif 000005
【図４】
2011087504.tif 000006
【図５】
2011087504.tif 000007